(57)【要約】      （修正有）【課題】印鑑ケースの蓋の開閉を片手で操作可能にし、手に持った時の手触り感を滑らかにするとともに、ポケットやカバンなどへの出し入れを行い易くし、更に、蓋に装飾柄を施すことにより、従来にはない美観を有する印鑑収納ケーススライドを提供する。【解決手段】印鑑６を収納するケース１において、ケースが上部に開口を有し印鑑を収納することが可能な直方体形状の容器と、容器側面に設けられたレール５に沿ってスライド可能な容器開口部を覆うスライド蓋４とから形成するようにし、スライド蓋の表面および／または裏面に立体的な装飾柄７を設けるようにする。【選択図】図１
0003193953.tif 000002
【実用新案登録請求の範囲】
【請求項１】
印鑑を収納するケースにおいて、該ケースが上部に開口を有し印鑑を収納することが可能な直方体形状の容器と、該容器側面に設けられたレールに沿ってスライド可能な容器開口部を覆うスライド蓋とから成ることを特徴とする印鑑収納スライドケース。
【請求項２】
スライド蓋の表面および／または裏面に立体的装飾柄を設けたことを特徴とする請求項１に記載の印鑑収納スライドケース。
【考案の詳細な説明】
【技術分野】
【０００１】  本考案は、携帯用印鑑ケースに係わるものであり、より詳細には蓋の開閉操作が容易で、開閉操作時の衝撃などが極めて少ない、蓋がスライド開閉方式による携帯用印鑑ケースに関するものである。、
【背景技術】
【０００２】  従来の携帯用印鑑ケースは、金枠ヒンジと開閉時に使用する一対の口金とから成り、形状はかまぼこ型形状のものが主流であった。また、開閉の容易さなどを改良した様々な発明、考案がなされてきている。例えば、特許文献１に開示されているような発明がある。また、印鑑が印鑑ケースの蓋を開けるときの衝撃から、印鑑ケースより転げ落ちてしまうのを防止する発明などが、特許文献２に開示されている。更に、低コスト化をはかることを可能とするとともに、印鑑ケースの開閉を繰り返し行うことによる口金の噛み合わせ部の磨耗を防ぐことも可能とする考案が特許文献３に開示されている。
【先行技術文献】
【０００３】
【特許文献１】特開２００５−１８６３９３号公報
【０００４】
【特許文献２】特開平９−１０９５３７号公報
【０００５】
【特許文献３】登録実用新案第３０５１４４７号公報
【０００６】  これら、従来のヒンジ仕様の印鑑ケースには、両手で操作しないと開閉操作に難を生じ易い。つまり、片手に荷物を持っている時など、荷物を一旦床などに置いてから両手で開閉操作を行わなくてはならないという不具合があった。また、ヒンジや口金を有する為に、手に持った時の手触りが悪いだけでなく、手を傷つけたり、ポケットやカバンに入れて持ち運んだ時に、糸などに引っ掛かったり、一緒に入れたものを傷つけるなどの不具合もあった。
【考案の概要】
【考案が解決しようとする課題】
【０００７】  本考案が解決しようとする課題は、従来技術にはない、下記項目を満足する携帯用印鑑ケースを提供することにある。
（１）片手に荷物などを持っている時なども、他方の手で印鑑ケースの蓋を操作し、開閉      可能にし押印操作ができるようにする。
（２）手に持った時の手触り感を滑らかにし、手を傷つけたり、ポケットやカバンなどの      糸などに引っ掛かったり、一緒に入れたものを傷つけたりしないようにする。
（３）蓋の表面および／または裏面に立体的形状の装飾模様を施し、従来にはない美観を      呈するようにする。
（４）構成部材に金属部材を使用せず、すべて合成樹脂より構成することにより、廃棄時      、分別の必要性を無くすようにする。
（５）形状を従来のかまぼこ形状から直方体にすることにより、カバンなどへの収納性、      机上などへ置いたときの安定性を向上させる。
本考案は以上５項目を満足する携帯用印鑑ケースを提供することにある。以下にこれら課題を解決するための手段について詳述する。
【課題を解決するための手段】
【０００８】  本考案はこのような事情に鑑みてなされたものであり、印鑑を収納するケースにおいて、該ケースが上部に開口を有し、印鑑を収納することが可能な直方体形状の容器と、該容器側面に設けられたレールに沿ってスライド可能な容器開口部を覆うスライド蓋とから成ることを特徴とするものであり、更には、スライド蓋の表面および／または裏面に立体的装飾柄を設けたことを特徴とする印鑑収納スライドケースを提供するものである。【０００９】  又、本考案のケースの材質としては、容器部、蓋部ともポリスチレン樹脂、アクリロニトリル―スチレン共重合体、アクリロニトリルーブタジエンースチレン共重合体、ポリエチレン樹脂、エチレンー酢酸ビニル共重合体、ポリエステル樹脂、ポリアセタール樹脂、ポリウレタン樹脂などの一般的に公知な成型加工可能な樹脂が用いられる。また、これらの合成樹脂を用い、成型加工により本考案の印鑑ケースを作成するわけであるが、その成型加工法としては、一般的に公知な成型加工法、例えば、押し出し成型法、射出成型法、圧縮成型法、真空成型法など特に限定されるものではない。【００１０】  更に、スライド蓋の表面および／または裏面に立体的装飾柄を設ける方法としては、金型成型加工法、レーザー加工法、サンドブラスト加工法、３Ｄ彫刻加工法など一般的に公知な加工法で加工すれば良く、特に限定されるものではない。また、裏面に装飾柄を設ける場合は、外側から装飾柄を視認できるよう、蓋の上述した材質は光透過性素材を使用することが好ましい。
【考案の効果】
【００１１】  本考案の印鑑収納スライドケースによれば、
（１）片手に荷物などを持っている時なども、他方の手で印鑑ケースの蓋を操作し、開閉      可能にし押印操作が出来るようになる。
（２）手に持った時の手触り感が滑らかになり、手を傷つけたり、ポケットやカバンなど      の糸などに引っ掛からなくなり、一緒に入れたものを傷つけたりしないようになる      。
（３）蓋の表面および／または裏面に立体的装飾模様を施すことにより、ケースとしての      美観が増すようになる。
（４）構成部材に金属部材を使用せず、すべて合成樹脂により構成されるため、廃棄時、      分別の必要性が生じなくなる。
（５）形状を従来のかまぼこ形状から直方体にすることにより、カバンなどへの収納性、      机上などへ置いたときの安定性が向上する。
以上５項目の効果を生み出す印鑑ケースを提供することが可能となった。【００１２】  更に、付随的な効果として、従来のヒンジ使用の印鑑ケースの場合、蓋を開ける時に使用者の開け方によっては、ヒンジ部にストレスを与え易く、使用上、致命的な破損に繋がる場合が多々生じ易い。ところが、本考案のスライド蓋仕様の印鑑ケースは、開け閉めの動作がスライド開閉方式によるものである為、破損に繋がる程のストレスを与える可能性が極めて低くなるという利点も得られることになる。
【考案を実施するための最良の形態】
【００１３】  以下、図面に基づき本考案の一例の実施例を具体的に説明する。
図面において、図１は本考案の印鑑収納スライドケース１のスライド蓋４を、容器側面に設けられたレール５に沿って矢印の方向に指でスライドさせ、ケースを開口させた斜視図である。ケースの中に印鑑６が収納されており、朱肉入れ２と印鑑掃除用ブラシ３が設置されている。又、図２は矢印の方向に指でスライド蓋を該レールに沿って閉めた状態の斜視図である。更に、図３はスライド蓋表面に立体的装飾柄７が設けられた蓋の断面を示す図である。本実施例では、蓋表面に装飾柄を設けるため、蓋の材質は不透明な素材を使用しているが、光透過性素材を使用することも可能である。蓋裏面に立体柄を設ける場合は、［００１０］で述べたように、蓋の材質は光透過性素材を使用することが好ましい。【００１４】  以上、本考案の印鑑収納スライドケースの完成体は、上述した一例の実施例に限定されるものでなく、スライド蓋の装飾柄は任意に設定して良く、バリエーションに富んだ印鑑ケースを提供することが可能である。
【図面の簡単な説明】
【００１５】
【図１】本考案の印鑑ケースの蓋を開いた状態を示す斜視図である。
【図２】本考案の印鑑ケースの蓋を閉めた状態を示す斜視図である。
【図３】本考案の印鑑ケースの蓋表面に設けられた装飾柄の断面図である。
【符号の説明】
【００１６】１．印鑑収納スライドケース
２．朱肉入れ
３．印鑑掃除用ブラシ
４．スライド蓋
５．レール
６．印鑑
７．装飾柄
【図１】
0003193953.tif 000003
【図２】
0003193953.tif 000004
【図３】
0003193953.tif 000005